(57)【特許請求の範囲】
【請求項１】
ケース内の空間を複数の区画室に区画し、透光部に遮光部を組み合わせることにより、意匠性を持った光路が各々形成された複数の区画部材と、
複数の前記区画室ごとに設けられ、前記区画室の内部を各々照射する複数の光源と、
前記光源側からの光を透過するものの表面側からの光については反射することが可能で、前記区画部材と各々組を成すように設けられた半透過部材と、
前記光源が点灯した際に、前記光路を通った光が像として投影される投影部材と、
操作手段の操作状態に基づき、前記光源の点灯を制御する制御手段とを備え、
意匠性を持った前記光路を、並びが下側から順にサイズが大きくなるように前記区画部材に形成し、前記操作手段の操作状態に応じて複数の前記光源のうちの１つを選択的に点灯することで、前記投影部材に投影される前記像のサイズを切り換えることを特徴とする表示サイズ可変型表示装置。
【請求項２】
組を成す前記区画部材と前記半透過部材とは、一体に形成されていることを特徴とする請求項１に記載の表示サイズ可変型表示装置。
【請求項３】
前記区画室が平面方向において複数に区画され、その分割区画室ごとに前記光源が各々設けられ、その区画室と組を成す前記区画部材には、前記分割区画室ごとに前記光路が各々異なるサイズで設けられていることを特徴とする請求項１又は２に記載の表示サイズ可変型表示装置。
【請求項４】
前記操作手段は、前記投影部材に投影された像の表示サイズを変える際に操作される第１操作手段と、各種機器を作動させる際に操作される第２操作手段とから成り、
前記制御手段は、前記第２操作手段が操作されたことに基づき、前記光源の点灯のオンオフを切り換え、前記投影部材に前記像を投影する際には、前記第１操作手段で設定された表示サイズの前記像が前記投影部材に投影されるように、それに対応する前記光源を点灯させることを特徴とする請求項１〜３のうちいずれか一項に記載の表示サイズ可変型表示装置。
【発明の詳細な説明】
【技術分野】
【０００１】
本発明は、文字や絵柄等の表示物を、その表示サイズを変えて表示可能な表示サイズ可変型表示装置に関する。
【背景技術】
【０００２】
従来、スイッチ装置の操作部位であるスイッチ（ボタン）には、同スイッチの機能をユーザに知らせるために、スイッチの機能に応じた文字や絵柄等の表示物が表示されている。この種の表示技術の一つとして、例えばスイッチの裏面側からディスプレイ等によって同スイッチに画像を投影し、スイッチの押し面にスイッチ機能に関する文字や絵柄を映し出す技術が例えば特許文献１に開示されている。特許文献１の技術は、スイッチとディスプレイとの間にレンズ部材を配置し、ディスプレイの画像を正立画像としてスイッチの押し面に投影するため、押し面にはピンボケ等の生じない明瞭な画像が表示される。
【特許文献１】特開平７−２１１１８２号（第３−４頁、第１図）
【発明の開示】
【発明が解決しようとする課題】
【０００３】
ところで、ユニバーサルデザインの観点から、スイッチに表示される文字や絵柄等の表示物については、操作者によって好みの大きさがある。特許文献１の技術はディスプレイを用いた構造であるため、スイッチに投影する画像の大きさを変えれば、スイッチの押し面に表示される文字や絵柄の表示サイズを変えることは可能であるが、同文献ではその事について何ら開示されていない。また、ディスプレイを用いた場合、ディスプレイは高価な部品であるため、この種の装置に要する部品コストを低く抑えるためにもディスプレイを用いない構造のものが望まれていた。
【０００４】
本発明の目的は、高価な部品を用いることなく、ケース表面に表示される表示物の表示サイズを自由に変えることができる表示サイズ可変型表示装置を提供することにある。
【課題を解決するための手段】
【０００５】
前記問題点を解決するために、本発明では、ケース内の空間を複数の区画室に区画し、透光部に遮光部を組み合わせることにより、意匠性を持った光路が各々形成された複数の区画部材と、複数の前記区画室ごとに設けられ、前記区画室の内部を各々照射する複数の光源と、前記光源側からの光を透過するものの表面側からの光については反射することが可能で、前記区画部材と各々組を成すように設けられた半透過部材と、前記光源が点灯した際に、前記光路を通った光が像として投影される投影部材と、操作手段の操作状態に基づき、前記光源の点灯を制御する制御手段とを備え、意匠性を持った前記光路を、並びが下側から順にサイズが大きくなるように前記区画部材に形成し、前記操作手段の操作状態に応じて複数の前記光源のうちの１つを選択的に点灯することで、前記投影部材に投影される前記像のサイズを切り換えることを要旨とする。
【０００６】
この構成によれば、上下方向に並んだ複数の光源のうち、仮に最下位置の光源が点灯したとすると、その光源が位置する最下位置の区画室内に光が照射される。すると、この光が最下位置に位置する区画部材の光路を最初に通り、続いて順に上に位置する区画部材の光路を通過し、最下位置に位置する区画部材の光路の形状が像として投影部材に投影された状態となる。このとき、最下位置に位置する区画部材の光路は小サイズで形成されていることから、光がこの光路を最初に通過した場合、投影部材には小サイズの像が映り込んだ状態となる。
【０００７】
一方、上下方向に並んだ複数の光源のうち、仮に最上位置の光源が点灯したとすると、その光源が位置する最上位置の区画室内に光が照射される。すると、この光が最上位置に位置する区画部材の光路を通って投影部材に至り、最上位置に位置する区画部材の光路の形状が像として投影部材に投影された状態となる。このとき、最上位置に位置する区画部材の光路は大サイズで形成されていることから、光がこの光路を最初に通過した場合、投影部材には大サイズの像が映り込んだ状態となる。
【０００８】
従って、本発明においては、点灯させる光源を選択的に切り換えることにより、投影部材に映る像の大きさを切り換えることが可能であるので、この投影部材を表示サイズ可変型表示装置の外枠ケースの一部とすれば、ケース表面に表示される文字や絵柄等の表示物の表示サイズを自由に変更することが可能となる。また、このようにケース表面に映る表示物の表示サイズを変更可能な構造としても、それは手に入り易い安価な部材を用いて実施可能であるため、これを実施するにあたって部品コストが高くなる心配もない。
【００１０】
この構成によれば、光源から照射された光は、その１つ下側に位置する半透過部材により、上側に反射されることになるので、光の多くが投影部材に向かうことになる。従って、投影部材に至る光量が多くなることから、投影部材に映り込む像が明確に映し出された状態となり易い。
【００１１】
本発明では、組を成す前記区画部材と前記半透過部材とは、一体に形成されていることを要旨とする。
この構成によれば、区画部材と半透過部材との部品組付工程をそれぞれ別工程で行わずに済み、これら部材を表示サイズ可変型表示装置のケースに組み付ける際の組付工程数を減らすことが可能となる。
【００１２】
本発明では、前記区画室が平面方向において複数に区画され、その分割区画室ごとに前記光源が各々設けられ、その区画室と組を成す前記区画部材には、前記分割区画室ごとに前記光路が各々異なるサイズで設けられていることを要旨とする。
【００１３】
この構成によれば、同一区画室で複数の透光部が設けられることから、同一区画室においても異なるサイズの像を投影手段に投影することが可能となる。従って、投影部材に投影できる像の種類が多くなり、表示サイズ可変型表示装置のユーザ満足度の向上に繋がることになる。
【００１４】
本発明では、前記操作手段は、前記投影部材に投影された像の表示サイズを変える際に操作される第１操作手段と、各種機器を作動させる際に操作される第２操作手段とから成り、前記制御手段は、前記第２操作手段が操作されたことに基づき、前記光源の点灯のオンオフを切り換え、前記投影部材に前記像を投影する際には、前記第１操作手段で設定された表示サイズの前記像が前記投影部材に投影されるように、それに対応する前記光源を点灯させることを要旨とする。
【００１５】
この構成によれば、例えば通常状態においては光源を消灯状態にしておき、第２操作手段が操作された際に、光源を点灯させて投影手段に像を表示する動作を実施することが可能となる。
【発明の効果】
【００１６】
本発明によれば、高価な部品を用いることなく、ケース表面に表示される表示物の表示サイズを自由に変えることができる。
【発明を実施するための最良の形態】
【００１７】
以下、本発明を具体化した表示サイズ可変型表示装置の一実施形態を図１〜図３に従って説明する。
図１に示すように、車両１の運転席に設けられたステアリングホイール２の近傍には、車両１の方向指示器を作動させる際に操作するモーメンタリーレバー３が設けられている。このモーメンタリーレバー３は、基端を支点に中心位置から例えば上方に傾到操作されると左側の方向指示器が点滅動作し、中心位置から例えば下方に傾到操作されると、右側の方向指示器が点滅動作する。また、このモーメンタリーレバー３は、中立位置から前後方向に傾到操作することにより、車両１のヘッドライトをディマ／パッシング操作する際にも用いられる。なお、モーメンタリーレバー３が操作手段（第１操作手段）を構成する。
【００１８】
図２及び図３に示すように、モーメンタリーレバー３のケース４の内部には、そのケース４の表面に文字や絵柄等の表示物を、その表示サイズを変えて表示する表示ユニット５が組み込まれている。本例の表示ユニット５は、モーメンタリーレバー３が操作された場合において、左右どちらの方向指示器が点滅しているかを、左向き矢印Ｙａと右向き矢印Ｙｂとでその表示サイズを変えて表示する。なお、表示ユニット５が表示サイズ可変型表示装置に相当する。
【００１９】
表示ユニット５には、上壁が開口した箱形状の枠体６が設けられている。この枠体６の内部は、中央に立設した分割壁７（図３参照）により２室に区画され、一方の空間が第１収容部８、他方の空間が第２収容部９となっている。この第１収容部８には、左向き矢印Ｙａを表示する左向き矢印用表示ユニット部品１０が収容され、第２収容部９には、右向き矢印用表示ユニット部品１１が収容されている。
【００２０】
以下、これらユニット部品１０，１１の詳細を説明するが、これらは矢印のデザインが異なるのみで、他の構成は同じであることから、左向き矢印表示ユニット部品１０についてのみ説明する。第１収容部８の内部には、第１収容部８内の空間を複数に区画する複数（本例は３枚）のマスクフィルム板１２〜１４が平行状態で上下方向に並設されている。本例におけるマスクフィルム板１２〜１４は、薄板状に形成されるとともに、上下方向（並設方向）において等間隔に配置されている。本例においては、これら３枚のマスクフィルム板１２〜１４のうち、下側から順に第１マスクフィルム板１２、第２マスクフィルム板１３、第３マスクフィルム板１４とする。なお、マスクフィルム板１２〜１４が区画部材に相当する。
【００２１】
第１収容部８の内部には、その内部空間がこれらマスクフィルム板１２〜１４で区画されることにより、下側から順に第１区画室１５、第２区画室１６及び第３区画室１７が同体積で形成されている。即ち、第１マスクフィルム板１２と枠体６の内面とで囲まれる空間が第１区画室１５となり、第１マスクフィルム板１２と第２マスクフィルム板１３と枠体６の内面とで囲まれる空間が第２区画室１６となり、第２マスクフィルム板１３と第３マスクフィルム板１４と枠体６の内面とで囲まれる空間が第３区画室１７となっている。
【００２２】
各マスクフィルム板１２〜１４は、互いに種類の異なる層を複数重ね合わせた多層構造を成している。これを第１マスクフィルム板１２で説明すると、第１マスクフィルム板１２の最下層には、透明の樹脂材からなる透光部１２ａが設けられている。透光部１２ａの上面には、モーメンタリーレバー３に映し出す表示物の形状部分を除き、黒色の樹脂膜が遮光部１２ｂとしてマスクされている。よって、このマスクされていない部分が意匠性を持った光の光路１２ｘとなり、この光路１２ｘを通った光が表示物としてモーメンタリーレバー３に映し出される。本例においては、透光部１２ａの上面が、矢印形状部分を除いて、それ以外の部分が黒色の樹脂材によりマスクされている。
【００２３】
図３に示すように、これらマスクフィルム板１２〜１４に各々形成された光路１２ｘ〜１４ｘは、マスクフィルム板１２〜１４の間で同じデザインではあるが、下から上のフィルム板に向かうに従いサイズが段階的に大きくなる形状に形成されている。また、これら光路１２ｘ〜１４ｘは、表示ユニット５を上から見た場合、第３マスクフィルム板１４の光路１４ｘの内部に、第１マスクフィルム板１２の光路１２ｘと第２マスクフィルム板１３の光路１３ｘが全て入り込むような位置に配置されている。
【００２４】
図２及び図３に示すように、各透光部１２ａ〜１４ａの上面にマスクされた遮光部１２ｂ〜１４ｂの各々の上面には、一方の面からの光のみを透過するハーフミラー１２ｃ〜１４ｃがそれぞれ設けられている。これらハーフミラー１２ｃ〜１４ｃは、光を通す側が遮光部側を向き、光を反射する側が反遮光部側を向く取り付け状態をとっている。ハーフミラー１２ｃは、透光部１２ａ及び遮光部１２ｂから成る板材に対して各々一体形成され、ハーフミラー１３ｃ，１４ｃについても同様の構造をとっている。なお、ハーフミラー１２ｃ〜１４ｃが半透過部材に相当する。
【００２５】
図２に示すように、枠体６の内側面には、表示ユニット５の電気系部品を実装したプリント基板１８が、枠体６の底面に対して垂直に立設した状態で取り付けられている。このプリント基板１８には、第１区画室１５〜第３区画室１７の各室に合わせて複数（本例は３つ）のＬＥＤ１９〜２１が組を成して実装されている。即ち、プリント基板１８には、第１区画室１５用の光源として第１ＬＥＤ１９が設けられ、第２区画室１６用の光源として第２ＬＥＤ２０が設けられ、第３区画室１７用の光源として第３ＬＥＤ２１が設けられている。第１区画室１５〜第３区画室１７は、各室の対応するＬＥＤが点灯した際、その光が外に漏れないように密閉した空間で形成されている。なお、図示はしないが、プリント基板１８には、右向き矢印用表示ユニット部品１１用の複数のＬＥＤもその区画室ごとに実装されている。なお、ＬＥＤ１９〜２１が光源に相当する。
【００２６】
枠体６の開口部６ａには、例えば半透明材から成る薄板状の投影板２２が取り付けられている。この投影板２２は、第１ＬＥＤ１９〜第３ＬＥＤ２１の何れかが点灯（又は点滅）した際、マスクフィルム板１２〜１４のうち点灯ＬＥＤと組を成すものに形成された光路１２ｘ〜１４ｘの表示体を、その形状サイズで像として表向きに表示する。即ち、第１ＬＥＤ１９が点灯すれば、光路１２ｘによって第１マスクフィルム板１２に形成された小サイズの右向き矢印Ｙａが投影板２２に投影され、第３ＬＥＤ２１が点灯すれば、光路１４ｘによって第３マスクフィルム板１４に形成された大サイズの右向き矢印Ｙａが投影板２２に投影される。投影板２２は、矢印Ｙａ，Ｙｂの表示エリアＥ（図１参照）となることから、これがモーメンタリーレバー３のケース４の一部を構成することになる。なお、投影板２２が投影部材に相当する。
【００２７】
プリント基板１８には、第１ＬＥＤ１９〜第３ＬＥＤ２１の点灯状態を制御する表示制御ＥＣＵ(Electronic Control Unit)２３が接続されている。この表示制御ＥＣＵ２３には、モーメンタリーレバー３の操作位置を検出するレバー用スイッチ回路２４を介してモーメンタリーレバー３が接続されている。レバー用スイッチ回路２４は、モーメンタリーレバー３の操作位置に応じたスイッチ信号を表示制御ＥＣＵ２３に出力する。表示制御ＥＣＵ２３は、レバー用スイッチ回路２４から入力したスイッチ信号に基づき、レバー操作時においてＬＥＤが点灯を開始するように、第１ＬＥＤ１９〜第３ＬＥＤ２１のオンオフを切り換える。
【００２８】
運転席においてステアリングホイール２の近傍には、モーメンタリーレバー３に投影される像のサイズを切り換える際に操作する切換ノブ２５が設けられている。切換ノブ２５は、例えばねじり操作によって選択位置を切り換える回転式のものが用いられ、本例においては表示サイズが３段階で切り換え可能であることから、大サイズ表示位置、中サイズ表示位置及び小サイズ表示位置の３位置の間で位置が切り換え可能となっている。
【００２９】
表示制御ＥＣＵ２３には、切換ノブ２５の操作位置を検出するノブ用スイッチ回路２６を介して切換ノブ２５が接続されている。ノブ用スイッチ回路２６は、切換ノブ２５の操作位置に応じたスイッチ信号を表示制御ＥＣＵ２３に出力する。表示制御ＥＣＵ２３は、ノブ用スイッチ回路２６から入力するスイッチ信号に基づき、第１ＬＥＤ１９〜第３ＬＥＤ２１のうち、切換ノブ２５の操作位置に応じたＬＥＤが点灯するように、第１ＬＥＤ１９〜第３ＬＥＤ２１を選択的に点灯させる。なお、表示制御ＥＣＵ２３が制御手段に相当し、切換ノブ２５が操作手段（第２操作手段）を構成する。
【００３０】
次に、本例の表示サイズ可変型表示装置の動作を説明する。
まず、切換ノブ２５が小サイズ表示位置に操作された状態において、モーメンタリーレバー３が中立位置から例えば上方に傾到操作されたとする。このとき、表示制御ＥＣＵ２３は、レバー用スイッチ回路２４から、モーメンタリーレバー３が上方に傾到操作されたことを検出するが、この際にノブ用スイッチ回路２６からは切換ノブ２５が小サイズ表示位置に位置する旨のスイッチ信号を入力する。よって、表示制御ＥＣＵ２３は、モーメンタリーレバー３に小サイズの左向き矢印Ｙａを表示すべきであると認識し、第１ＬＥＤ１９を点灯（又は点滅）させる。
【００３１】
第１ＬＥＤ１９が点灯すると、第１区画室１５が第１ＬＥＤ１９によって照らされた状態となる。このとき、第１ＬＥＤ１９の光が第１マスクフィルム板１２の光路１２ｘを通過し、続いて第２マスクフィルム板１３の光路１３ｘと第３マスクフィルム板１４の光路１４ｘとを経由して投影板２２の裏面に至る。なお、第２マスクフィルム板１３の光路１３ｘと第３マスクフィルム板１４の光路１４ｘとのサイズが、第１マスクフィルム板１２の光路１２ｘのサイズよりも大きく形成されているので、第１マスクフィルム板１２の光路１２ｘを通り抜けた光が、第２マスクフィルム板１３及び第３マスクフィルム板１４により遮られる状況には陥り難い。
【００３２】
以上により、投影板２２には、第１マスクフィルム板１２の光路１２ｘの形状、つまり小サイズの左向き矢印Ｙａの像が投影されることになり、モーメンタリーレバー３に左向き矢印Ｙａが表示された状態となる。よって、運転者は、モーメンタリーレバー３に映り込んだこの小サイズの左向き矢印Ｙａを見ることにより、左側の方向指示器が点滅していると認識することが可能となる。
【００３３】
ところで、モーメンタリーレバー３に表示される左向き矢印Ｙａが小サイズである場合、これが小さ過ぎて見え難いなどの理由から、この像のサイズを大きくしたい場合がある。このときには、切換ノブ２５を回転操作することにより、その操作位置を小サイズ表示位置から中サイズ表示位置に切り換える。
【００３４】
切換ノブ２５が中サイズ表示位置に操作された状態において、モーメンタリーレバー３が中立位置から上方に傾倒操作されたとする。このとき、表示制御ＥＣＵ２３は、レバー用スイッチ回路２４から、モーメンタリーレバー３が上方に操作されたことを検出するが、この際にノブ用スイッチ回路２６からは切換ノブ２５が中サイズ表示位置に位置する旨のスイッチ信号を入力する。よって、表示制御ＥＣＵ２３は、モーメンタリーレバー３に中サイズの左向き矢印Ｙａを表示すべきであると認識し、第２ＬＥＤ２０を点灯（又は点滅）させる。
【００３５】
第２ＬＥＤ２０が点灯すると、第２区画室１６が第２ＬＥＤ２０によって照らされた状態となる。このとき、第２ＬＥＤ２０の光が第１マスクフィルム板１２のハーフミラー１２ｃで反射することにより、この光の殆どが上方に向かう向きをとる。そして、第２ＬＥＤ２０の光が第２マスクフィルム板１３の光路１３ｘを通過し、この光が第３マスクフィルム板１４の光路１４ｘを経由して投影板２２の裏面に至る。なお、第３マスクフィルム板１４の光路１４ｘのサイズが、第２マスクフィルム板１３の光路１３ｘのサイズよりも大きく形成されているので、第２マスクフィルム板１３の光路１３ｘを通り抜けた光が、第３マスクフィルム板１４により遮られる状況には陥り難い。
【００３６】
以上により、投影板２２には、第２マスクフィルム板１３の光路１３ｘの形状、つまり中サイズの左向き矢印Ｙａの像が投影されることになり、モーメンタリーレバー３に映り込んだこの中サイズを見れば、左側の方向指示器が点滅していることが認識可能となる。また、このモーメンタリーレバー３に表示される左向き矢印Ｙａは、中サイズで表示されるので、小さい文字や絵柄が見え難い人や高齢者であっても、左向き矢印Ｙａの形状を認識し易くなる。
【００３７】
また、左向き矢印Ｙａのサイズを中サイズにしても、それがまだ見え難い場合には、切換ノブ２５の操作位置を中サイズ操作位置から大サイズ操作位置に切り換える。切換ノブ２５が大サイズ表示位置に操作された状態において、モーメンタリーレバー３が中立位置から上方に傾到操作されたとする。このとき、表示制御ＥＣＵ２３は、レバー用スイッチ回路２４から、モーメンタリーレバー３が上方に操作されたことを検出するが、この際にノブ用スイッチ回路２６からは切換ノブ２５が大サイズ表示位置に位置する旨のスイッチ信号を入力する。よって、表示制御ＥＣＵ２３は、モーメンタリーレバー３に大サイズの左向き矢印Ｙａを表示すべきであると認識し、第３ＬＥＤ２１を点灯（又は点滅）させる。
【００３８】
第３ＬＥＤ２１が点灯すると、第３区画室１７が第３ＬＥＤ２１によって照らされた状態となる。このとき、第３ＬＥＤ２１の光が第２マスクフィルム板１３のハーフミラー１３ｃで反射することにより、この光の殆どが上方に向かう向きをとる。そして、第３ＬＥＤ２１の光が第３マスクフィルム板１４の光路１４ｘを通過し、この光が投影板２２の裏面に至る。従って、投影板２２には、第３マスクフィルム板１４の光路１４ｘ、つまり大サイズの左向き矢印Ｙａの像が投影されることになり、左向き矢印Ｙａが非常に見易くなり、視認性確保に効果が高い。
【００３９】
従って、本例においては、切換ノブ２５を操作することにより、モーメンタリーレバー３に表示される矢印Ｙａ，Ｙｂの表示サイズを、操作者の好みの大きさに自由に変更することが可能となる。また、このように、モーメンタリーレバー３に表示される矢印Ｙａ，Ｙｂの表示サイズを切り換える機構を用いたとしても、この機構は液晶や高価な電子部品を用いずに表示サイズの切り換えが可能であることから、実施に際しては安価な部品コストで済む。
【００４０】
よって、本例のように矢印Ｙａ，Ｙｂ等の表示物の表示サイズが変更可能であれば、高齢者や小さな文字が見え難い人には、この表示体のサイズを大きくすれば、このような人が操作者である場合であっても視認性が確保される。また、車両１の内装にこだわる人の場合、この種の表示物を小サイズにしたい要望があるが、本例においてはこれに関しても対応可能となり、顧客満足度を満たすことが可能となる。さらに、この表示ユニット５を他の車載スイッチに適用した場合、使用頻度の多いものについては表示サイズを大きくし、使用頻度の低いものについては表示サイズを小さくして目立たなくすることも可能となる。
【００４１】
本実施形態の構成によれば、以下に記載の効果を得ることができる。
（１）本例においては、高価な部品を用いることなく、モーメンタリーレバー３に表示される矢印Ｙａ，Ｙｂの表示サイズを、操作者の好みの大きさに自由に変更することができる。
【００４２】
（２）各マスクフィルム板１２〜１４にハーフミラー１２ｃ〜１４ｃを設けたので、点灯ＬＥＤが照射する光の多くを投影板２２に向かわせることができる。よって、投影板２２に至る光量が多くなることから、投影板２２に映り込む像を明確に表示することができる。
【００４３】
（３）各マスクフィルム板１２は多層構造から成るが、これを構成する透光部１２ａ、遮光部１２ｂ及びハーフミラー１２ｃが一体形成されている。従って、これら部品を１つ１つ別々の組付工程で表示ユニット５に組み付ける必要がなくなり、その組付作業に要する工程数が少なく済む。なお、このことは、マスクフィルム板１３，１４についても言える。
【００４４】
（４）本例の表示ユニット５を採用すれば、モーメンタリーレバー３のような、中立位置に位置する際に表示物が表示されず、その中立位置からレバー操作された際に表示物が表示されるようなスイッチ類に適用することができる。
【００４５】
（５）本例の表示ユニット５を例えば車内エアコン用スイッチ等のスイッチ類に用いた場合、ＬＥＤ１９〜２１から光が照射されていないとき、投影板２２の表面には像が表示されず、ＬＥＤ１９〜２２から光が照射された際に、投影板２２の表面に像が表示される。従って、ＬＥＤ１９〜２２が光を照射しないオフ状態においては、投影板２２には何の表示体も表示されないことになり、デザイン的にこのようなものを好むユーザの満足度を満たすことができる。
【００４６】
なお、本実施形態はこれまでの構成に限定されず、以下の態様に変更してもよい。
・  各区画室１５〜１７は、１室であることに限定されず、平面方向において複数室に区画されてもよい。例えば、図４及び図５に示すように、マスクフィルム板１２〜１４の並設方向において最下位置に位置する区画室１５の内部に十字状の分割壁４１を設けることにより、この区画室１５を４室の分割区画室１５ａ〜１５ｄに区画する構造を採用してもよい。この場合、各分割区画室１５ａ〜１５ｄには各々ＬＥＤ１９ａ〜１９ｄが設けられ、第１マスクフィルム板１２には、各分割区画室１５ａ〜１５ｄに対応する位置に、各々サイズの異なる矢印形状の光路１２xa〜１２xdが形成される。これら光路１２xa〜１２xdは平面方向において中央位置寄りに配置され、こうすることにより、光路１２xa〜１２xdを透過した光で投影板２２に像を投影する際に、この光が第２マスクフィルム板１３や第３マスクフィルム板１４で遮られる状況を発生し難くする。従って、この構造を用いれば、投影板２２に投影できる表示物のサイズ種類を増やすことができ、使用者の満足度を向上することができる。
【００４７】
・  多層構造を成すマスクフィルム板１２〜１４の透光部１２ａ〜１４ａ及び遮光部１２ｂ〜１４ｂの配置順序は、上側から順に遮光部１２ｂ〜１４ｂ、透光部１２ａ〜１４ａの順に限定されず、図６に示すように順序を逆にして、上側から透光部１２ａ〜１４ａ、遮光部１２ｂ〜１４ｂの配置順序としてもよい。
【００４８】
・  マスクフィルム板１２〜１４に光路１２ｘ〜１４ｘを設ける場合、それは透光部１２ａ〜１４ａの上に黒色の樹脂材を遮光部１２ｂ〜１４ｂとしてマスクする構造に限定されない。例えば、図７に示すように、黒色樹脂から成る薄板状の遮光部１２ｂ〜１４ｂに、表示物に対応した凹部４４を打ち抜き形成し、そこに透明樹脂を流し込んだり、或いはそのままの状態としたりすることにより、その部分を透光部１２ａ〜１４ａとする構造でもよい。
【００４９】
・  表示物（像）の表示サイズの切り換えは、専用の切換ノブ２５を用いて行われることに限定されない。例えば、図８に示すように、その選択値を連続的に切り換える車内温度設定ノブ４５に、エンジンスイッチがＡＣＣに操作された際に映り出す温度マーク４６を設け、車内温度設定ノブ４５の操作量に応じて温度マーク４６の表示サイズを切り換えるものでもよい。この場合、例えば設定温度が低いときは温度マーク４６を小サイズで表示し、設定温度が高くなるに連れて温度マーク４６を大サイズに変更する。従って、この種の通常点灯し続けるスイッチ類においても、その表示体の表示サイズを変更することができる。
【００５０】
・  表示サイズを変える表示物は、矢印Ｙａ，Ｙｂ等の絵柄に限らず、例えば文字でもよい。
・  投影板２２に映る像の表示サイズを変える場合、それは３段階に限らず、２段階や或いは４段階以上で自由に設定可能である。
【００５１】
・  表示物の表示サイズを切り換える際に操作する操作手段は、切換ノブ２５を用いたノブ式に限定されない。例えば、小サイズ、中サイズ及び大サイズごとにスイッチボタンを各々設け、これを押下操作することにより、表示サイズを選択するものでもよい。
【００５２】
・  モーメンタリーレバー３に映る矢印Ｙａ，Ｙｂは、表示サイズのみ変えられる構成に限らず、各ＬＥＤ１９〜２１が照射する光の色を変えることにより、像の色を変化させることも可能である。
【００５３】
・  上下方向に並んだマスクフィルム板１２〜１４に形成される表示物（光路１２ｘ〜１４ｘ）のデザインは、これらマスクフィルム板１２〜１４の間で同じであることに限らず、各々異なったデザインとしてもよい。
【００５４】
・  光源はＬＥＤ１９〜２１に限らず、例えばバルブ等の拡散状態の光を照射するものであれば、特に限定されない。
・  本例の表示サイズ可変型表示装置の採用対象は、モーメンタリーレバー３に限らず、車載された他のスイッチ類であれば、それは特に問わない。また、表示サイズ可変型表示装置の採用対象は、車載スイッチ類に限定されず、例えば映像機器、オーディオ、デジタルカメラ、電話機、パーソナルコンピュータ、プリンタ等の操作パネルのスイッチ群に適用してもよい。
【００５５】
次に、上記実施形態及び別例から把握できる技術的思想について、それらの効果とともに以下に追記する。
（１）請求項１〜４のいずれかにおいて、前記区画部材は、薄板形状に形成されている。この場合、区画部材の並設方向（上下方向）において、表示サイズ可変型表示装置の小型化を図ることができる。
【００５６】
（２）請求項１〜４のいずれかにおいて、複数の前記光源は、同一プリント基板上に形成されるとともに、各々対応する前記区画室をその側面から照射する取り付け状態をとっている。この場合、複数の光源を設ける場合であっても、光源ごとに基板を用意する必要がなくなり、表示サイズ可変型表示装置に要する部品点数の抑制、部品組付工程数の低減などの効果が得られる。
【図面の簡単な説明】
【００５７】
【図１】一実施形態における車内を示す斜視図。
【図２】表示ユニットの概略構成を示す構成図。
【図３】表示ユニットの一部分の構成を示す分解斜視図。
【図４】別例における表示ユニットの概略構成を示す縦断面図。
【図５】同じく表示ユニットの概略構成を示す平断面図。
【図６】別例におけるマスクフィルム板の部分断面図。
【図７】他の別例におけるマスクフィルム板の部分断面図。
【図８】別例における車内温度設定ノブの斜視図。
【符号の説明】
【００５８】
３…操作手段（第１操作手段）を構成するモーメンタリーレバー、４…ケース、１２〜１４…区画部材としてのマスクフィルム板、１２ａ〜１４ａ…透光部、１２ｂ〜１４ｂ…遮光部、１２ｃ〜１４ｃ…半透過部材としてのハーフミラー、１２ｘ（１２xa〜１２xd）〜１４ｘ…光路、１５〜１７…区画室、１５ａ〜１５ｄ…分割区画室、１９（１９ａ〜１９ｄ）〜２１…光源としてのＬＥＤ、２２…投影部材としての投影板、２３…制御手段としての表示制御ＥＣＵ、２５…操作手段（第２操作手段）を構成する切換ノブ。
【図１】
0004620615.tif 000002
【図２】
0004620615.tif 000003
【図３】
0004620615.tif 000004
【図４】
0004620615.tif 000005
【図５】
0004620615.tif 000006
【図６】
0004620615.tif 000007
【図７】
0004620615.tif 000008
【図８】
0004620615.tif 000009